(57)【要約】【課題】ユーザが意図せずに画像形成装置の給紙トレイにセットされた用紙のサイズや種類を設定できる印刷システム、画像形成方法、およびプログラムを提供する。【解決手段】本実施の形態にかかる印刷システム１によれば、ユーザ端末３が、画像データの印刷に使用する用紙を給紙する給紙トレイを指定する給紙トレイ情報と、画像データの印刷に使用する用紙を示す用紙設定情報と、を含む印刷ジョブを送信する。インクジェットプリンタ２は、送信された印刷ジョブを受信し、受信した印刷ジョブに含まれる給紙トレイ情報により給紙トレイが指定されている場合、指定された給紙トレイに予め設定された用紙設定情報を、受信した印刷ジョブに含まれる用紙設定情報に変更し、受信した印刷ジョブに含まれる用紙設定情報に合致する用紙設定情報が設定された給紙トレイから給紙された用紙に画像データを印刷する。【選択図】図５
2013031967.tif 000002
【特許請求の範囲】
【請求項１】
画像データの印刷に使用する用紙を給紙する給紙トレイを指定する給紙トレイ情報と、前記画像データの印刷に使用する用紙を示す用紙設定情報と、を含む印刷ジョブを送信する送信手段と、
前記送信された印刷ジョブを受信する受信手段と、
前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する変更手段と、
前記受信した印刷ジョブに含まれる用紙設定情報に合致する前記用紙設定情報が設定された前記給紙トレイから給紙された用紙に前記画像データを印刷する印刷制御手段と、
を備えた印刷システム。
【請求項２】
前記送信手段は、前記給紙トレイに設定された前記用紙設定情報の変更を要求する用紙設定変更データを含む前記印刷ジョブを送信し、
前記変更手段は、前記受信した印刷ジョブに前記用紙設定変更データが含まれている場合、前記指定された給紙トレイに予め指定された前記用紙設定情報を、前記受信した印刷ジョブに含まれる用紙設定情報に変更する請求項１に記載の印刷システム。
【請求項３】
前記変更手段は、前記受信した印刷ジョブに前記用紙設定変更データが含まれていない場合、前記指定された給紙トレイに予め設定された前記用紙設定情報を、印刷に使用された回数が最も多い用紙を示す用紙設定情報に変更する請求項２に記載の印刷システム。
【請求項４】
前記受信した印刷ジョブに前記用紙設定変更データが含まれていない場合または前記受信した印刷ジョブに用紙設定情報が含まれていない場合、前記指定された給紙トレイに予め設定された前記用紙設定情報を変更できないことを報知する報知手段を備えた請求項２に記載の印刷システム。
【請求項５】
画像形成装置で実行される画像形成方法であって、
前記画像形成装置は、
受信手段が、画像データの印刷に使用する用紙を給紙する給紙トレイを指定する給紙トレイ情報と、前記画像データの印刷に使用する用紙を示す用紙設定情報と、を含む印刷ジョブを受信する工程と、
変更手段が、前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する工程と、
印刷制御手段が、前記受信した印刷ジョブに含まれる用紙設定情報に合致する前記用紙設定情報が設定された前記給紙トレイから給紙された用紙に前記画像データを印刷する工程と、
を含む画像形成方法。
【請求項６】
コンピュータを、
画像データの印刷に使用する用紙を給紙する給紙トレイを指定する給紙トレイ情報と、前記画像データの印刷に使用する用紙を示す用紙設定情報と、を含む印刷ジョブを受信する受信手段と、
前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する変更手段と、
前記受信した印刷ジョブに含まれる用紙設定情報に合致する前記用紙設定情報が設定された前記給紙トレイから給紙された用紙に前記画像データを印刷する印刷制御手段と、
として機能させるためのプログラム。
【発明の詳細な説明】
【技術分野】
【０００１】
本発明は、印刷システム、画像形成方法、およびプログラムに関する。
【背景技術】
【０００２】
現在、ローエンドの画像形成装置は、コストダウンのため、給紙トレイに収納された用紙のサイズや種類を検知するためのセンサーを搭載していないものが多く販売されている。
【０００３】
ところで、画像形成装置には、ユーザ端末からの印刷要求に合致する用紙を給紙可能な給紙トレイを自動的に選択し、選択した給紙トレイから用紙を給紙する自動トレイ選択機能を備えたものがある。この自動トレイ選択機能を実行するためには、給紙トレイに収納されている用紙のサイズや種類を設定しておく必要があるが、用紙のサイズや種類を検知するセンサーを搭載していない画像形成装置においては、用紙を給紙トレイにセットした後、ユーザが、画像形成装置本体のオペレーションパネルから、給紙トレイにセットした用紙のサイズや種類を設定しなければならない。
【０００４】
しかし、給紙トレイにセットされた用紙のサイズや種類をユーザがオペレーションパネルから設定する方法では、給紙トレイに用紙をセットする度にオペレーションパネルを操作する必要があり、操作が煩わしく、時間がかかる。そのため、給紙トレイにセットされた用紙のサイズや種類をユーザ端末から設定する技術が開示されている。また、特許文献１には、給紙トレイに収納された用紙を識別する用紙識別手段からのトレイ用紙情報に基づいて、最新のトレイ用紙情報を随時取得する構成が開示されている。
【発明の概要】
【発明が解決しようとする課題】
【０００５】
しかしながら、ユーザ端末から給紙トレイにセットされた用紙のサイズや種類を設定する技術では、画像形成装置のオペレーションパネルから、給紙トレイにセットされた用紙のサイズや種類を直接設定する必要はなくなるものの、ユーザ自身がツールを起動して、給紙トレイにセットした用紙のサイズや種類を設定しなければならず、ユーザが意図して、給紙トレイにセットされた用紙のサイズや種類の設定変更を行う必要がある。また、特許文献１には、給紙トレイに収納された用紙を識別する具体的な方法については記載されていない。
【０００６】
本発明は、上記に鑑みてなされたものであって、ユーザが意図せずに画像形成装置の給紙トレイにセットされた用紙のサイズや種類を設定できる印刷システム、画像形成方法、およびプログラムを提供することを目的とする。
【課題を解決するための手段】
【０００７】
上述した課題を解決し、目的を達成するために、本発明は、画像データの印刷に使用する用紙を給紙する給紙トレイを指定する給紙トレイ情報と、前記画像データの印刷に使用する用紙を示す用紙設定情報と、を含む印刷ジョブを送信する送信手段と、前記送信された印刷ジョブを受信する受信手段と、前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する変更手段と、前記受信した印刷ジョブに含まれる用紙設定情報に合致する前記用紙設定情報が設定された前記給紙トレイから給紙された用紙に前記画像データを印刷する印刷制御手段と、を備える。
【０００８】
また、本発明は、画像形成装置で実行される画像形成方法であって、前記画像形成装置は、受信手段が、画像データの印刷に使用する用紙を給紙する給紙トレイを指定する給紙トレイ情報と、前記画像データの印刷に使用する用紙を示す用紙設定情報と、を含む印刷ジョブを受信する工程と、変更手段が、前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する工程と、印刷制御手段が、前記受信した印刷ジョブに含まれる用紙設定情報に合致する前記用紙設定情報が設定された前記給紙トレイから給紙された用紙に前記画像データを印刷する工程と、を含む。
【０００９】
さらに、本発明は、コンピュータを、画像データの印刷に使用する用紙を給紙する給紙トレイを指定する給紙トレイ情報と、前記画像データの印刷に使用する用紙を示す用紙設定情報と、を含む印刷ジョブを受信する受信手段と、前記受信した印刷ジョブに含まれる給紙トレイ情報により前記給紙トレイが指定されている場合、前記指定された給紙トレイに予め設定された前記用紙設定情報を、前記受信した印刷ジョブに含まれる用紙設定情報に変更する変更手段と、前記受信した印刷ジョブに含まれる用紙設定情報に合致する前記用紙設定情報が設定された前記給紙トレイから給紙された用紙に前記画像データを印刷する印刷制御手段と、として機能させる。
【発明の効果】
【００１０】
本発明によれば、ユーザが意図せずに画像形成装置の給紙トレイにセットされた用紙のサイズや種類を設定できる、という効果を奏する。
【図面の簡単な説明】
【００１１】
【図１】図１は、第１の実施の形態にかかる印刷システムの構成を示すブロック図である。
【図２】図２は、第１の実施の形態にかかる印刷システムの他の構成を示すブロック図である。
【図３】図３は、第１の実施の形態にかかるユーザ端末のハードウェア構成の一例を示す図である。
【図４】図４は、第１の実施の形態にかかるインクジェットプリンタのハードウェア構成を示す図である。
【図５】図５は、第１の実施の形態にかかるユーザ端末およびインクジェットプリンタの機能構成を示すブロック図である。
【図６】図６は、第１の実施の形態にかかるユーザ端末での印刷ジョブの送信処理の流れを示すフローチャートである。
【図７】図７は、第１の実施の形態にかかるインクジェットプリンタでの印刷処理の流れを示すフローチャートである。
【図８】図８は、印刷ジョブのデータ構成の一例を示す図である。
【図９】図９は、第２の実施の形態にかかるユーザ端末およびインクジェットプリンタの機能構成を示すブロック図である。
【図１０】図１０は、第２の実施の形態にかかるユーザ端末での印刷ジョブの送信処理の流れを示すフローチャートである。
【図１１】図１１は、第２の実施の形態にかかるインクジェットプリンタの印刷処理の流れを示すフローチャートである。
【図１２】図１２は、第３の実施の形態にかかるユーザ端末およびインクジェットプリンタの機能構成を示すブロック図である。
【図１３】図１３は、第３の実施の形態にかかるインクジェットプリンタの印刷処理の流れを示すフローチャートである。
【図１４】図１４は、第４の実施の形態にかかるユーザ端末およびインクジェットプリンタの機能構成を示すブロック図である。
【図１５】図１５は、第４の実施の形態にかかるインクジェットプリンタの印刷処理の流れを示すフローチャートである。
【発明を実施するための形態】
【００１２】
以下に添付図面を参照して、この発明にかかる印刷システム、画像形成方法、およびプログラムの最良な実施の形態を詳細に説明する。
【００１３】
（第１の実施の形態）
図１は、第１の実施の形態にかかる印刷システムの構成を示すブロック図である。本実施の形態にかかる印刷システム１は、図１に示すように、プリントサーバ機能などを有した通信制御装置を備え、当該通信制御装置を介して受信した印刷ジョブに従って画像データを用紙に印刷する画像形成装置としてのインクジェットプリンタ２と、ユーザが本印刷システム１を利用してインクジェットプリンタ２に印刷ジョブを送信する際やインクジェットプリンタ２の設定情報などを閲覧する際に使用する情報処理端末であるユーザ端末３と、を備える。本実施の形態にかかる印刷システム１は、インクジェットプリンタ２とユーザ端末３とを、有線および無線のうち少なくとも一方により構築されたＬＡＮ（Local  Area  Network）やＷＡＮ（Wide  Area  Network）やＷＷＷ（World  Wide  Web）などのネットワーク（データ通信網）４により接続している。
【００１４】
図２は、第１の実施の形態にかかる印刷システムの他の構成を示すブロック図である。本実施の形態にかかる印刷システム１は、インクジェットプリンタ２と、ユーザ端末３と、をＵＳＢ（Universal  Serial  Bus）回線５により接続しても良い。
【００１５】
図３は、第１の実施の形態にかかるユーザ端末のハードウェア構成の一例を示す図である。本実施の形態にかかるユーザ端末３は、図３に示すように、制御部３０１、記憶部３０２、ネットワーク（またはＵＳＢ）Ｉ／Ｆ３０３、外部記憶装置Ｉ／Ｆ３０４、外部装置Ｉ／Ｆ３０５、出力装置Ｉ／Ｆ３０６、および入力装置Ｉ／Ｆ３０７などを備えている。
【００１６】
制御部（ＣＰＵ：Central  Processing  Unit）３０１は、記憶部３０２の主記憶部（ＲＯＭ：Read  Only  Memory）３０２ａに記憶されたプログラムを実行する装置であり、主記憶部（ＲＡＭ：Random  Access  Memory）３０２ａに展開（ロード）されたデータを、プログラムの命令に従って演算処理し、その演算結果を外部記憶装置Ｉ／Ｆ３０４や出力装置Ｉ／Ｆ３０６を介して記憶メディアドライブ等の外部記憶装置やＣＲＴ（Cathode  Ray  Tube）または液晶ディスプレイ等の出力装置に出力する。
【００１７】
記憶部３０２は、ＲＯＭやＲＡＭなどを有する主記憶部３０２ａと、ＨＤ（Hard  Disk）などを備えた補助記憶部３０２ｂと、を備えている。主記憶部３０２ａは、制御部３０１が実行するプログラムやデータを記憶するＲＯＭなどの記憶装置や、制御部３０１が主記憶部３０２ａに記憶されたプログラムを実行する際に、実行するプログラムやデータが展開（ロード）され、演算の間、演算データを一時保持するＲＡＭなどの記憶装置を備えている。また、補助記憶部３０２ｂは、ＯＳ（Operating  System）などの基本ソフトウェアやプリンタユーティリティなどのアプリケーションソフトウェアを関連データとともに記憶する装置である。
【００１８】
記憶部３０２の記憶領域は、ＯＳなどの基本ソフトウェアや必要なデータなどを格納するシステム領域３０２ｃと、ユーザ端末３が有する各機能の設定値を格納する設定記憶領域３０２ｄとを有し、ユーザ端末３を動作するのに必要なプログラムやデータが格納されている。
【００１９】
ネットワークＩ／Ｆ３０３は、ＵＳＢ回線５またはネットワーク４を介して接続された、通信制御装置を備えた他の周辺機器と情報をやり取りするインタフェースである。
【００２０】
外部記憶装置Ｉ／Ｆ３０４は、ＵＳＢなどのデータ伝送路を介して接続された外部記憶装置（例えば、記憶メディアドライブなど）とユーザ端末３との間でデータをやり取りするインタフェースである。
【００２１】
外部装置Ｉ／Ｆ３０５は、データ伝送路を介して接続された外部入力装置（例えば、デジタルカメラやスキャナなど）からユーザ端末３に送信されたデータを受信するインタフェースである。
【００２２】
出力装置Ｉ／Ｆ３０６は、ユーザ端末３からデータ伝送路を介して接続された出力装置（例えば、ＣＲＴや液晶ディスプレイなど）へデータを送信するインタフェースである。
【００２３】
入力装置Ｉ／Ｆ３０７は、データ伝送路を介して接続された入力装置（例えば、キーボードやマウスなど）からユーザ端末３に入力されたデータを受信するインタフェースである。
【００２４】
図４は、第１の実施の形態にかかるインクジェットプリンタのハードウェア構成を示す図である。本実施の形態にかかるインクジェットプリンタ２は、図４に示すように、制御部２０１、記憶部２０２、表示部２０３、入力部２０４、外部装置Ｉ／Ｆ２０５、センサー部２０６、印刷部２０７、通信部２０８などを備えている。
【００２５】
制御部（ＣＰＵ）２０１は、記憶部（ＲＯＭ）２０２に記憶されたプログラムを実行する装置であり、記憶部（ＲＡＭ）２０２に展開（ロード）されたデータをプログラムの命令に従って演算処理し、その演算結果を記憶部２０２や外部装置Ｉ／Ｆ２０５に出力する。
【００２６】
記憶部２０２は、制御部２０１が実行するプログラムやデータを記憶するＲＯＭなどの記憶装置や、制御部２０１がＲＯＭに記憶されたプログラムを実行する際に、実行するプログラムやデータが展開（ロード）され、演算の間、演算データを一時保持するＲＡＭなどの記憶装置を備えている。
【００２７】
表示部（パネル表示）２０３および入力部（操作部）２０４は、ハードキーによるキースイッチとＬＣＤ（Liquid  Crystal  Display）とを備え、インクジェットプリンタ２が有する機能をユーザが利用する際に、各種設定を行うなどのＵＩ（User  Interface）として機能する装置である。
【００２８】
センサー部２０６は、フォトインタラプタおよび機械式スイッチの２種類のセンサーを備えている。フォトインタラプタは、発光素子と受光素子を対向して並べ、その間を検出物が通過する際に、光が遮られることにより物体の有無を検出する光スイッチである。本実施の形態では、フォトインタラプタは、用紙の有無、印刷時の主走査方向または副走査方向への移動量の検出を行う。機械式スイッチは、物理的なスイッチの開閉を検出するスイッチである。本実施の形態では、機械式スイッチは、カバーの開閉を検知する。
【００２９】
外部装置Ｉ／Ｆ２０５は、データ伝送路を介して接続された外部入力装置（例えば、ＳＤカード、スマートメディア、ＵＳＢメモリなど）とインクジェットプリンタ２との間でデータをやり取りするインタフェースである。
【００３０】
通信部（ネットワークまたはＵＳＢ）２０８は、ＵＳＢ回線５またはネットワーク４を介して接続されたユーザ端末３と、インクジェットプリンタ２と、の間でデータをやり取りするインタフェースである。
【００３１】
印刷部（プロッタ部）２０７は、印字方式にインクジェット方式を採用し、ユーザ端末３にインストールされたプリンタドライバにより生成された印刷データ（ラスタイメージ）を受け取る。そして、印刷部２０７は、例えば、イエロー（Ｙ）、シアン（Ｃ）、マゼンタ（Ｍ）、およびブラック（Ｂｋ）のインク滴を吐出する液体吐出ヘッドからなる４つの記録ヘッドを主走査方向に配列し、クロス制御によって記録ヘッドから記録液（インク）と定着用処理液（定着用インク）とを、副走査方向に給紙された記録媒体に吐出するなどの方式を用いて印刷を行う装置である。
【００３２】
ここで、印刷部２０７が用いた印刷方式であるクロス制御について説明する。クロス制御とは、記録ヘッドを搭載したキャリッジの主走査方向の駆動と、記録媒体の搬送における副走査方向の駆動と、の両方の駆動をオーバーラップさせる印字制御のことを言う。具体的には、クロス制御は、インクジェット方式による印字処理を高速化させるために、副走査方向への駆動（ＬＦ：Line  Feed）完了前に主走査方向へキャリッジの駆動を開始し、キャリッジが記録領域に達した瞬間に、副走査方向への駆動が停止するように駆動のタイミングを制御する。このように、クロス制御によれば、副走査方向への駆動が行われている間にキャリッジが記録領域に達してしまい、斜行記録（すなわち、記録ヘッドによるライン描画が主走査方向に対して斜行する現象）を引き起こす問題や、副走査方向への駆動と重ならずに記録も行わないキャリッジの無駄な駆動時間（空走区間）が生じる問題などを解決することができる。
【００３３】
図５は、第１の実施の形態にかかるユーザ端末およびインクジェットプリンタの機能構成を示すブロック図である。本実施の形態にかかるユーザ端末３は、ＪＯＢデータ送信部５０１、ＪＯＢデータ加工部５０２、入力受付部５０３、表示制御部５０４、および通信部５０５などを備えている。
【００３４】
ＪＯＢデータ送信部５０１は、制御部３０１により実現され、ユーザ端末３上で動作するアプリケーションで作成された印刷ジョブをインクジェットプリンタ２に送信するものである。ここで、印刷ジョブとは、画像データの印刷を要求するものであって、画像データの印刷に使用する用紙を給紙する給紙トレイを指定する給紙トレイ情報と、画像データの印刷に使用する用紙を示す用紙設定情報（例えば、用紙サイズや用紙種類など）と、を含むものである。
【００３５】
ＪＯＢデータ加工部５０２は、制御部３０１により実現され、ユーザ端末３上で動作するアプリケーションで作成された印刷ジョブを加工するものである。
【００３６】
入力受付部５０３は、入力装置Ｉ／Ｆ３０７により実現され、キーボードやマウス等の入力部から、ユーザの入力を受け付ける。
【００３７】
表示制御部５０４は、出力装置Ｉ／Ｆ３０６により実現され、ネットワーク４を介して受信したデータを、アプリケーションの表示形態に応じてＣＲＴまたは液晶ディスプレイ等の出力装置に表示するものである。
【００３８】
通信部５０５は、ネットワーク（またはＵＳＢ）Ｉ／Ｆ３０３により実現され、ユーザ端末３とインクジェットプリンタ２との間でデータの送受信を行うものである。
【００３９】
また、本実施の形態にかかるインクジェットプリンタ２は、ＪＯＢデータ受信部６０１、ＪＯＢデータ解析部６０２、設定可否判定部６０３、機器情報設定部６０４、設定情報記憶部６０５、印刷制御部６０６、および通信部６０７などを備えている。
【００４０】
ＪＯＢデータ受信部６０１は、制御部２０１により実現され、後述する通信部６０７を介して、ユーザ端末３のＪＯＢデータ送信部５０１により送信された印刷ジョブを受信するものである。
【００４１】
ＪＯＢデータ解析部６０２は、制御部２０１により実現され、ＪＯＢデータ受信部６０１により受信した印刷ジョブを解析するものである。具体的には、ＪＯＢデータ解析部６０２は、ＪＯＢデータ受信部６０１により受信した印刷ジョブから、給紙トレイ情報や用紙設定情報を抽出する。
【００４２】
設定可否判定部６０３は、制御部２０１により実現され、ＪＯＢデータ解析部６０２により印刷ジョブから抽出された給紙トレイ情報により、画像データの印刷に使用する用紙を給紙する給紙トレイが指定されているか否かを判定するものである。
【００４３】
機器情報設定部６０４は、制御部２０１により実現され、印刷部２０７により画像データの印刷に使用する用紙を給紙する給紙トレイに対して、画像データの印刷に使用する用紙を示す用紙設定情報を設定するものである。また、機器情報設定部６０４は、印刷ジョブから抽出された給紙トレイ情報により給紙トレイが指定されていると判定された場合に、給紙トレイ情報により指定された給紙トレイに予め設定された用紙設定情報を、印刷ジョブから抽出された用紙設定情報に変更する。
【００４４】
設定情報記憶部６０５は、記憶部２０２により実現され、機器情報設定部６０４により給紙トレイに設定された用紙設定情報を、給紙トレイ毎に記憶するものである。
【００４５】
印刷制御部６０６は、印刷部２０７により実現され、設定情報記憶部６０５に記憶された給紙トレイ毎の用紙設定情報を参照して、受信した印刷ジョブに含まれる用紙設定情報と合致する用紙設定情報が設定された給紙トレイを特定する。そして、印刷制御部６０６は、印刷部２０７を制御して、受信した印刷ジョブにより印刷が要求された画像データ（例えば、印刷ジョブに含まれる画像データなど）を、当該特定した給紙トレイから給紙される用紙に印刷するものである。
【００４６】
通信部６０７は、通信部２０８により実現され、ユーザ端末３とインクジェットプリンタ２との間でデータの送受信を行うものである。
【００４７】
図６は、第１の実施の形態にかかるユーザ端末での印刷ジョブの送信処理の流れを示すフローチャートである。ＪＯＢデータ送信部５０１は、通信部５０５を介して、ユーザ端末３上で動作するアプリケーションで作成された印刷ジョブをインクジェットプリンタ２に送信する（ステップＳ６００）。
【００４８】
図７は、第１の実施の形態にかかるインクジェットプリンタでの印刷処理の流れを示すフローチャートである。ＪＯＢデータ受信部６０１は、通信部６０７を介して、ユーザ端末３のＪＯＢデータ送信部５０１により送信された印刷ジョブを受信する（ステップＳ７０１）。ＪＯＢデータ受信部６０１により印刷ジョブを受信すると、ＪＯＢデータ解析部６０２は、受信した印刷ジョブを解析して、受信した印刷ジョブから給紙トレイ情報を抽出する。そして、設定可否判定部６０３は、抽出された給紙トレイ情報により、画像データの印刷に使用する用紙を給紙する給紙トレイが指定されているか否かを判定する（ステップＳ７０２）。
【００４９】
図８は、印刷ジョブのデータ構成の一例を示す図である。図８に示すように、印刷ジョブ８００は、給紙トレイ情報８０１ａや用紙設定情報（図示しない）を含む各種情報がＰＪＬ（Printer  Job  Language）により記述されたＰＪＬ部８０１と、印刷する画像データを含む画像部８０２と、を含むものである。本実施の形態にかかるＪＯＢデータ解析部６０２は、受信した印刷ジョブ８００から、給紙トレイ情報８０１ａを抽出する。そして、設定可否判定部６０３は、抽出した給紙トレイ情報８０１ａが「自動トレイ：ＡＵＴＯＴＲＡＹ」である場合、給紙トレイが指定されていないと判定する。一方、設定可否判定部６０３は、抽出した給紙トレイ情報８０１ａが「指定トレイ：ＴＲＡＹ１，ＴＲＡＹ２等」である場合、給紙トレイが指定されていると判定する。
【００５０】
図７に戻り、画像データの印刷に使用する用紙を給紙する給紙トレイが指定されていないと判定した場合（ステップＳ７０２：Ｎｏ）、機器情報設定部６０４による用紙設定情報の変更は行わず、印刷制御部６０６は、印刷部２０７を制御して、印刷ジョブに含まれる用紙設定情報と合致する用紙設定情報が設定された給紙トレイから用紙を給紙し、給紙した用紙に対する画像データの印刷を実行する（ステップＳ７０４）。
【００５１】
一方、画像データの印刷に使用する用紙を給紙する給紙トレイが指定されていると判定した場合（ステップＳ７０２：Ｙｅｓ）、機器情報設定部６０４は、印刷ジョブに含まれる用紙設定情報を、印刷ジョブに含まれる給紙トレイ情報により指定された給紙トレイの設定値に適用する（ステップＳ７０３）。つまり、機器情報設定部６０４は、印刷ジョブに含まれる給紙トレイ情報により指定された給紙トレイに設定された用紙設定情報を、印刷ジョブに含まれる用紙設定情報に変更する。そして、印刷制御部６０６は、印刷部２０７を制御して、受信した用紙設定情報と合致する用紙設定情報が設定された給紙トレイから用紙を給紙し、給紙した用紙に対する画像データの印刷を実行する（ステップＳ７０４）。
【００５２】
このように本実施の形態にかかる印刷システム１によれば、ユーザ端末３が、画像データの印刷に使用する用紙を給紙する給紙トレイを指定する給紙トレイ情報と、画像データの印刷に使用する用紙を示す用紙設定情報と、を含む印刷ジョブを送信する。インクジェットプリンタ２は、送信された印刷ジョブを受信し、受信した印刷ジョブに含まれる給紙トレイ情報により給紙トレイが指定されている場合、指定された給紙トレイに予め設定された用紙設定情報を、受信した印刷ジョブに含まれる用紙設定情報に変更し、受信した印刷ジョブに含まれる用紙設定情報に合致する用紙設定情報が設定された給紙トレイから給紙された用紙に画像データを印刷する。これにより、ユーザがインクジェットプリンタ２の用紙を交換後、その用紙を使用して画像データの印刷を行う際に、画像データを印刷する給紙トレイを指定して印刷ジョブを送信することにより、自動的に用紙を交換した給紙トレイの用紙設定情報の変更が実施されるので、ユーザが意図せずにインクジェットプリンタ２が備える給紙トレイに対する用紙サイズや用紙種類などの用紙設定情報の設定を行うことができる。
【００５３】
（第２の実施の形態）
本実施形態では、給紙トレイに設定された用紙設定情報の変更を要求する用紙設定変更データを含む印刷ジョブを送信し、受信した印刷ジョブに用紙設定変更データが含まれている場合に、当該受信した印刷ジョブに含まれる給紙トレイ情報により指定された給紙トレイに予め設定された用紙設定情報を、当該受信した印刷ジョブに含まれる用紙設定情報に変更する。なお、以下の説明では、第１の実施の形態と同様の箇所については説明を省略し、第１の実施の形態と異なる箇所についてのみ説明する。
【００５４】
図９は、第２の実施の形態にかかるユーザ端末およびインクジェットプリンタの機能構成を示すブロック図である。ＪＯＢデータ送信部９０１は、制御部３０１により実現され、給紙トレイ情報および用紙設定情報に加えて、給紙トレイに設定された用紙設定情報の変更を要求する用紙設定変更データを含む印刷ジョブをインクジェットプリンタ２に送信する。
【００５５】
ＪＯＢデータ解析部９０２は、制御部２０１により実現され、ＪＯＢデータ受信部６０１により受信した印刷ジョブから、給紙トレイ情報および用紙設定情報に加えて、用紙設定変更データを抽出する。
【００５６】
設定可否判定部９０３は、制御部２０１により実現され、ＪＯＢデータ解析部９０２により印刷ジョブから用紙設定変更データが抽出されたか否か（すなわち、受信した印刷ジョブに用紙設定変更データが含まれているか否か）を判定する。
【００５７】
機器情報設定部９０４は、制御部２０１により実現され、受信した印刷ジョブに用紙設定変更データが含まれていると判定した場合に、給紙トレイ情報により指定された給紙トレイに予め設定された用紙設定情報を、印刷ジョブから抽出された用紙設定情報に変更する。
【００５８】
図１０は、第２の実施の形態にかかるユーザ端末での印刷ジョブの送信処理の流れを示すフローチャートである。ＪＯＢデータ送信部９０１は、通信部５０５を介して、ユーザ端末３上で動作するアプリケーションで作成された、用紙設定変更データを含む印刷ジョブをインクジェットプリンタ２に送信する（ステップＳ１００１）。
【００５９】
図１１は、第２の実施の形態にかかるインクジェットプリンタの印刷処理の流れを示すフローチャートである。ＪＯＢデータ受信部６０１は、通信部６０７を介して、ユーザ端末３のＪＯＢデータ送信部９０１により送信された印刷ジョブを受信する（ステップＳ１１０１）。ＪＯＢデータ受信部６０１により印刷ジョブを受信すると、ＪＯＢデータ解析部９０２は、受信した印刷ジョブを解析して、印刷ジョブから用紙設定変更データの抽出を試みる。そして、設定可否判定部９０３は、受信した印刷ジョブに用紙設定変更データが含まれているか否かを判定する（ステップＳ１１０２）。
【００６０】
受信した印刷ジョブに用紙設定変更データが含まれていないと判定した場合（ステップＳ１１０２：Ｎｏ）、機器情報設定部９０４による用紙設定情報の変更は行わず、印刷制御部６０６は、印刷部２０７を制御して、印刷ジョブに含まれる用紙設定情報と合致する用紙設定情報が設定された給紙トレイから用紙を給紙し、給紙した用紙に対する画像データの印刷を実行する（ステップＳ１１０４）。
【００６１】
一方、受信した印刷ジョブに用紙設定変更データが含まれていると判定した場合（ステップＳ１１０２：Ｙｅｓ）、機器情報設定部６０４は、印刷ジョブに含まれる用紙設定情報を、印刷ジョブに含まれる給紙トレイ情報により指定された給紙トレイの設定値に適用する（ステップＳ１１０３）。そして、印刷制御部６０６は、印刷部２０７を制御して、受信した用紙設定情報と合致する用紙設定情報が設定された給紙トレイから用紙を給紙し、給紙した用紙に対する画像データの印刷を実行する（ステップＳ１１０４）。
【００６２】
このように本実施の形態にかかる印刷システム１によれば、ユーザ端末３が、給紙トレイに設定された用紙設定情報の変更を要求する用紙設定変更データを含む印刷ジョブを送信する。インクジェットプリンタ２が、受信した印刷ジョブに用紙設定変更データが含まれている場合に、当該受信した印刷ジョブに含まれる給紙トレイ情報により指定された給紙トレイに予め設定された用紙設定情報を、当該受信した印刷ジョブに含まれる用紙設定情報に変更する。これにより、用紙設定情報の変更の可否をユーザ端末３から任意に設定することができる。
【００６３】
（第３の実施の形態）
本実施の形態では、受信した印刷ジョブに用紙設定変更データが含まれていない場合、受信した印刷ジョブに含まれる給紙トレイ情報により指定された給紙トレイに予め設定された用紙設定情報を、印刷に使用された回数が最も多い用紙を示す用紙設定情報に変更する。なお、以下の説明では、第２の実施の形態と同様の箇所については説明を省略し、第２の実施の形態と異なる箇所についてのみ説明する。
【００６４】
図１２は、第３の実施の形態にかかるユーザ端末およびインクジェットプリンタの機能構成を示すブロック図である。設定可否判定部１２０１は、制御部２０１により実現され、受信した印刷ジョブに用紙設定変更データが含まれている否かに加えて、当該受信した印刷ジョブに用紙設定情報が含まれているか否かを判定する。
【００６５】
給紙トレイ判定部１２０２は、制御部２０１により実現され、設定可否判定部１２０１により印刷ジョブに用紙設定変更データが含まれていないと判定された場合、記憶部２０２等に記憶されている印刷履歴を参照して、印刷に使用された回数が最も多い用紙を示す用紙設定情報を検索する。なお、給紙トレイ判定部１２０２は、記憶部２０２等に印刷履歴が記憶されていない場合、若しくは複数の用紙の間において印刷に使用された回数に差が無い場合、用紙サイズが小さい用紙を示す用紙設定情報または安価な用紙を示す用紙設定情報を検索する。
【００６６】
機器情報設定部１２０３は、制御部２０１により実現され、設定可否判定部１２０１により印刷ジョブに用紙設定変更データが含まれていないと判定された場合、受信した印刷ジョブに含まれる給紙トレイ情報により指定された給紙トレイに予め設定された用紙設定情報を、給紙トレイ判定部１２０２により検索された用紙設定情報に変更する。
【００６７】
図１３は、第３の実施の形態にかかるインクジェットプリンタの印刷処理の流れを示すフローチャートである。設定可否判定部１２０１は、受信した印刷ジョブに用紙設定変更データが含まれているか否かを判定する（ステップＳ１３０１）。
【００６８】
そして、受信した印刷ジョブに用紙設定変更データが含まれていないと判定された場合（ステップＳ１３０１：Ｎｏ）、給紙トレイ判定部１２０２は、記憶部２０２等に記憶されている印刷履歴を参照して、印刷に使用された回数が最も多い用紙を示す用紙設定情報を検索する。そして、機器情報設定部１２０３は、給紙トレイ判定部１２０２により検索した用紙設定情報を、受信した印刷ジョブに含まれる給紙トレイ情報により指定された給紙トレイの設定値に適用する（ステップＳ１３０２）。
【００６９】
このように本実施の形態にかかる印刷システム１によれば、受信した印刷ジョブに用紙設定変更データが含まれていない場合、指定された給紙トレイに予め設定された用紙設定情報を、印刷に使用された回数が最も多い用紙を示す用紙設定情報に変更することにより、受信した印刷ジョブに用紙設定情報が含まれていない場合であっても、印刷履歴から用紙設定情報を変更することができる。
【００７０】
（第４の実施の形態）
本実施の形態は、受信した印刷ジョブに用紙設定変更データが含まれていない場合、受信した印刷ジョブに含まれる給紙トレイ情報により指定された給紙トレイに予め設定された用紙設定情報を変更できないことを報知する。なお、以下の説明では、第２の実施の形態または第３の実施の形態と同様の箇所については説明を省略し、第２の実施の形態または第３の実施の形態と異なる箇所についてのみ説明する。
【００７１】
図１４は、第４の実施の形態にかかるユーザ端末およびインクジェットプリンタの機能構成を示すブロック図である。表示出力部１４０１は、制御部２０１により実現され、設定可否判定部１２０１により印刷ジョブに用紙設定変更データが含まれていないと判定された場合、通信部６０７を介して、用紙設定情報を設定できないことを示す設定不可情報をユーザ端末３に出力する。これにより、表示出力部１４０１は、受信した印刷ジョブに含まれる給紙トレイ情報により指定された給紙トレイに予め設定された用紙設定情報を変更できないことを報知する。
【００７２】
なお、本実施の形態では、表示出力部１４０１は、設定不可情報をユーザ端末３に出力して、用紙設定情報を変更できないことを報知しているが、これに限定するものではなく、例えば、表示部２０３に、メッセージを表示して、用紙設定情報を変更できないことを報知しても良い。
【００７３】
図１５は、第４の実施の形態にかかるインクジェットプリンタの印刷処理の流れを示すフローチャートである。受信した印刷ジョブに用紙設定変更データが含まれていないと判定された場合（ステップＳ１３０１：Ｎｏ）、表示出力部１４０１は、設定不可情報をユーザ端末３に出力する（ステップＳ１５０１）。
【００７４】
このように本実施の形態にかかる印刷システム１によれば、受信した印刷ジョブに用紙設定変更データが含まれていない場合、受信した印刷ジョブに含まれる給紙トレイ情報により指定された給紙トレイに予め設定された用紙設定情報を変更できないことを報知することにより、用紙設定情報が変更できない旨をユーザに報知することができる。
【００７５】
本実施の形態のユーザ端末で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７６】
また、本実施の形態のユーザ端末で実行されるプログラムを、インターネット等のネットワークに接続されたコンピュータ上に格納し、ネットワーク経由でダウンロードさせることにより提供するように構成しても良い。また、本実施の形態のユーザ端末で実行されるプログラムをインターネット等のネットワーク経由で提供または配布するように構成しても良い。
【００７７】
また、本実施の形態のユーザ端末で実行されるプログラムを、ＲＯＭ等に予め組み込んで提供するように構成してもよい。
【００７８】
本実施の形態のユーザ端末で実行されるプログラムは、上述した各部（ＪＯＢデータ送信部、ＪＯＢデータ加工部、入力受付部、表示制御部、通信部など）を含むモジュール構成となっており、実際のハードウェアとしてはＣＰＵ（プロセッサ）が上記記憶媒体からプログラムを読み出して実行することにより上記各部が主記憶装置上にロードされ、ＪＯＢデータ送信部、ＪＯＢデータ加工部、入力受付部、表示制御部、通信部などが主記憶装置上に生成されるようになっている。
【００７９】
なお、本実施の形態のインクジェットプリンタで実行されるプログラムは、ＲＯＭ等に予め組み込まれて提供される。
【００８０】
本実施の形態のインクジェットプリンタで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００８１】
さらに、本実施の形態のインクジェットプリンタで実行されるプログラムを、インターネット等のネットワークに接続されたコンピュータ上に格納し、ネットワーク経由でダウンロードさせることにより提供するように構成しても良い。また、本実施の形態のインクジェットプリンタで実行されるプログラムをインターネット等のネットワーク経由で提供または配布するように構成しても良い。
【００８２】
本実施の形態のインクジェットプリンタで実行されるプログラムは、上述した各部（ＪＯＢデータ受信部、ＪＯＢデータ解析部、設定可否判定部、機器情報設定部、給紙トレイ判定部、印刷制御部、表示出力部、通信部など）を含むモジュール構成となっており、実際のハードウェアとしてはＣＰＵ（プロセッサ）が上記ＲＯＭからプログラムを読み出して実行することにより上記各部が主記憶装置上にロードされ、ＪＯＢデータ受信部、ＪＯＢデータ解析部、設定可否判定部、機器情報設定部、給紙トレイ判定部、印刷制御部、表示出力部、通信部などが主記憶装置上に生成されるようになっている。
【００８３】
なお、上記実施の形態では、本発明の画像形成装置を、プリンタ機能を有したインクジェットプリンタに適用した例を挙げて説明するが、コピー機能、プリンタ機能、スキャナ機能およびファクシミリ機能のうち少なくとも２つの機能を有する複合機、複写機、スキャナ装置、ファクシミリ装置等の画像形成装置であればいずれにも適用することができる。
【符号の説明】
【００８４】
１  印刷システム
２  インクジェットプリンタ
３  ユーザ端末
５０１，９０１  ＪＯＢデータ送信部
６０１  ＪＯＢデータ受信部
６０２，９０２  ＪＯＢデータ解析部
６０３，９０３，１２０１  設定可否判定部
６０４，９０４，１２０３  機器情報設定部
６０６  印刷制御部
８００  印刷ジョブ
８０１  ＰＪＬ部
８０１ａ  給紙トレイ情報
８０２  画像部
１２０２  給紙トレイ判定部
１４０１  表示出力部
【先行技術文献】
【特許文献】
【００８５】
【特許文献１】特開２０００−１０３１４２号公報
【図１】
2013031967.tif 000003
【図２】
2013031967.tif 000004
【図３】
2013031967.tif 000005
【図４】
2013031967.tif 000006
【図５】
2013031967.tif 000007
【図６】
2013031967.tif 000008
【図７】
2013031967.tif 000009
【図８】
2013031967.tif 000010
【図９】
2013031967.tif 000011
【図１０】
2013031967.tif 000012
【図１１】
2013031967.tif 000013
【図１２】
2013031967.tif 000014
【図１３】
2013031967.tif 000015
【図１４】
2013031967.tif 000016
【図１５】
2013031967.tif 000017